(57)【要約】【課題】    上部に物を配置でき、作業し易い平面を具備した、取り外しまたは解放することが可能な底部を備えるバッグ/リュックサックを提供する。【解決方法】  移動中に携帯するリュックサック/バッグ（１）であって、このリュックサック/バッグ（１９）は、少なくとも１つの取り外し可能な、作業平面（３）、好ましくはより硬質のパネルを備えており、この作業平面（３）の下面は、柔軟で丸いビーズで充填した柔軟な変形可能ユニット（３）に結合している。
2005535365.tif 000002
【特許請求の範囲】
【請求項１】
広告または情報材料を受容およびディスプレイするように設計された平面（３）を具備した、外側に向いた側部を備えていることを特徴とするバッグ。
【請求項２】
前記平面（３）が、バッグをリュックサックとして使用する際の裏面を構成することを特徴とする請求項１に記載のバッグ。
【請求項３】
平面（３）が、取り外し可能な透明なシートで覆われていることを特徴とする請求項１または２のいずれか１項に記載のバッグ。
【請求項４】
リュックサック/バッグ（１）が、作業平面（３）の下面が柔軟な変形可能ユニット（４）に結合した、少なくとも１つの取り外し可能で平坦な作業面（３）、好ましくはより硬質のパネルを備えていることを特徴とする請求項１〜３のいずれか１項に記載のバッグ。
【請求項５】
柔軟な変形可能ユニット（４）が、柔軟な丸い形状のビーズを充填したケースであることを特徴とする請求項４に記載のバッグ。
【発明の詳細な説明】
【技術分野】
【０００１】
本発明は、作業し易いように、または、主にラップトップ・コンピュータあるいは類似の装置を上部に設置できるようにするために、取り外しまたは解放が可能な底部を備えるリュックサック/バッグに関する。本発明はさらに、マーケティングあるいは広告に適した表面部材との組み合わせを提供する。
【背景技術】
【０００２】
リュックサック/バッグは、天候、場所を選ばずに使用することができる。リュックサック/バッグには、文房具、本、携帯型コンピュータ、または旅行中や旅行後に必要な物、といった必要品を詰めることができる。
【発明の開示】
【発明が解決しようとする課題】
【０００３】
座っている場所の付近に普通のテーブルがなく、例えば物書き、ラップトップまたはキーボード作業、あるいは他の作業といった様々な作業を行う必要がある場合に、一般に対処が難しい状況が発生する。合理的に作業を実施でき、常に容易に手で持ち運ぶことができる、様々な状況で配置が可能な表面部材、および様々な物体を上に置くことができる表面部材が緊急に必要である。作業面の必要性は、例えば家のソファーの上、またはホテル、車、ベッドの中で生じるかもしれない。
【課題を解決するための手段】
【０００４】
本発明は、前述の必要性を満たすことができる手段を設ける取り外しまたは解放が可能な平坦パネルを備えたバッグまたはリュックサックに関する。本発明の或る実施形態では、このバッグはリュックサックとして設計され、外側に向いたその垂直裏面部分は、情報および広告を実質的に平面である表面部材上にディスプレイするための手段を備える。この手段は、透明な、好ましくはクリアシートと、その下に配置した例えば広告材料を交換するために容易に取り外すことが可能な固定具とで構成できる。特に好ましい実施形態では、このようなバッグはさらに、その裏面に直接接して配置する平面シートの形態をしたパッドを内部に備えている。
【発明を実施するための最良の形態】
【０００５】
携帯型バッグ/リュックサック１は、様々な物体を配置するための作業平面３または底部を具備した、少なくとも１つの取り外し可能ユニット２を備えている。このユニット２は、ファスナー、ベアクロ（登録商標）テープ、スナップ、あるいはこれ以外の周知の固定装置を備えており、完全に取り外すことができる。さらに、作業面としての、より硬質の平面材料を具備した平面パネル３を具備しており、このパネルの下面は、例えば人間の脚の丸みを帯びた形状といった下面の不定形さを補正するために適当な材料で充填したケースのような、柔軟で変形可能なユニット４に結合している。このケースは、接触する下面を補正する、および下面に従って変形する、例えば、下面の様々な形状および不定形性を補正する発砲ポリエチレン製の丸い形状をしたビーズのような材料で充填されていてよい。
【０００６】
この平面かつ平坦な作業面３は、ラミネートのような軽量材料で製造することができ、また、様々な可動物体の停止部として、その周囲を、好ましくは例えばアルミニウム、またはその他の周知の材料で囲むことができる。
【０００７】
取り外し可能ユニット２は、平面をバッグ/リュックサックから離れた外側に向け、柔軟で変形可能なユニット４をバッグ/リュックサック方向へ内側に向けて、バッグ/リュックサック１に固定することが好ましい。しかし、柔軟で変形可能なユニット４はこの固定に限定されるものではなく、必要に応じて、柔軟な側を外側にして固定することも可能である。
【０００８】
使用時には、平面パネル３を具備したユニット２をバッグ/リュックサック１から取り外し、平面パネル３を好ましくは最上にして、所望の場所に配置することができる。柔軟で変形可能なユニット４を適所に配置した状態にあるユニットの下面は、その下に存在する任意の不定形性を補正するため、作業し易い安定した平面が得られる。
【０００９】
前述した方法でユニットをバッグ/リュックサックに固定することで、取り外し可能ユニット２を、バッグ/リュックサック１の適所に維持することができ、さらに、この位置から、平面パネルを上に向けた状態で、例えば膝の上に乗っているバッグ/リュックサック１上で作業することが可能である。
【００１０】
このバッグは、さらに、収納スペース、取っ手、キャリヤ・ハーネス５を備えている。
【００１１】
平面かつ平坦な作業面３は１つのサイズに制限されるのではなく、多様な要求を満たすべく任意のサイズに製造することができる。
【００１２】
図５に示した実施形態は、各々が開閉可能で、３つの別個の構成部分２、６、７に分割されるバッグ１を備えている。多様な用途のために、構成部分のサイズを、標準設計の携帯型コンピュータおよびスクリーンを収納できるよう適切に設計することが可能である。バッグは、リュックサックとして使用および搬送するための２つの搬送用ストラップ５Ａ、５Ｂを備えている。バッグはさらに、手で持ち運べるように取っ手を設けていることが好ましい。バッグの裏面には、フレーム９と固定具１０によってバッグに固定された、透明な、好ましくはクリアシート８が設けられている。固定具は、シートとバッグの裏面の間に広告または情報材料を挿入する、あるいは交換するために、シート８を容易に取り外せるよう、ねじまたは他の手段で構成されている。これにより、このバッグを、バッグに配置し次第、また他の多くの状況において、この材料を明瞭に見ることが可能になる。柔軟で変形可能なユニットを、例えば上述した方法で、バッグの裏面と一体に形成することができる。好ましい実施形態では、このユニットは、バッグから取り外すことが可能で、必要に応じて分離したユニットとして使用できる、分離可能なユニットであってもよい。
【図面の簡単な説明】
【００１３】
【図１】取り外し可能部分をリュックサック/バッグから完全に取り外した状態の、本発明によるバッグを示す。
【図２】取り外し可能部分をリュックサック/バッグに取り付けた状態の、本発明によるバッグを示す。
【図３】取り外し可能部分をリュックサック/バッグに取り付けた状態の、別配置における本発明のバッグを示す。
【図４】取り外し可能な部分をリュックサックから完全に解放した別配置における本発明を示す。
【図５】本発明の或る好ましい実施形態を示す。
【符号の説明】
【００１４】
１  バッグ/リュックサック
２  取り外し可能ユニット
３  作業平面
４  取り外し可能ユニット
５  キャリヤ・ハーネス
５Ａ、５Ｂ  搬送用ストラップ
６、７  構成要素
８  クリアシート
９  フレーム
１０  固定具
【図１】
2005535365.tif 000003
【図２】
2005535365.tif 000004
【図３】
2005535365.tif 000005
【図４】
2005535365.tif 000006
【図５】
2005535365.tif 000007
【手続補正書】
【提出日】平成16年7月5日(2004.7.5)
【手続補正１】
【補正対象書類名】特許請求の範囲
【補正対象項目名】全文
【補正方法】変更
【補正の内容】
【特許請求の範囲】
【請求項１】
広告または情報材料を受容およびディスプレイするように設計された平坦な表面部材（３）を設けた、外側に向いた側部を備え、前記平面（３）が、取り外し可能な透明シートで覆われており、水平面（３）の下面が柔軟な変形可能ユニット（４）に結合していることを特徴とするバッグ。
【請求項２】
前記柔軟な変形可能ユニット（４）が、柔軟で丸いビーズを充填したケースであることを特徴とする請求項１に記載のバッグ。
【国際調査報告】
2005535365.tif 000008
2005535365.tif 000009
2005535365.tif 000010